(57)【要約】直流電流装置の過熱保護装置は、サーモスタット、サーミスタ、ポジスタ等の代わりに温度変化検出素子としてショットキーバリアダイオード１７を有している。ショットキーバリアダイオード１７は温度変化を検出する場所に配置されている。ショットキーバリアダイオード１７には逆方向電圧が印加される。ショットキーバリアダイオード１７はサイリスタ１８のゲートに接続されている。サイリスタ１８は抵抗２０を介して制御電源用コンデンサＣ２に並列に接続されている。ショットキーバリアダイオード１７が過熱状態になると、逆方向電流が増大し、サイリスタ１８がトリガされる。サイリスタ１８が導通すると、制御電源が遮断される。この結果、主スイッチＱ１のオン・オフ動作が停止し、直流電流装置の過熱保護が達成される。
2004017507.tif 000002
【特許請求の範囲】
【請求項１】
電気回路装置における電流を制御する主制御素子（Ｑ１）と、前記主制御素子（Ｑ１）に制御信号を供給する制御回路（１２）とを含む電気回路装置の過熱保護装置であって、
前記電気回路装置の過熱状態を検知できる位置に配置されたショットキーバリアダイオード（１７）と、
前記ショットキーバリアダイオード（１７）に逆方向電圧を印加するために前記ショットキーバリアダイオード（１７）に接続された電圧印加手段（２２）と、
前記ショットキーバリアダイオード（１７）の逆方向電流の大きさの変化に基づいて前記電気回路装置の温度変化を示す信号を得るために前記ショットキーバリアダイオード（１７）に接続された電流検出手段（１９、又は１９及び２４−２７）と、
前記ショットキーバリアダイオード（１７）の逆方向電流の値が所定値を越えたことを示す前記電流検出手段の出力に応答して前記制御回路（１２）による前記主制御素子（Ｑ１）のオン制御を禁止するために前記電流検出手段と前記制御回路（１２）とに接続されているオン禁止制御手段（１８、又は１８及びＱ２、又は４０−４３、又は４０−４３及びＱ２）と
から成る過熱保護装置。
【請求項２】
前記ショットキーバリアダイオード（１７）は前記主制御素子（Ｑ１）に熱結合されていることを特徴とする請求項１に従う過熱保護装置。
【請求項３】
前記電気回路装置は、更に、前記電気回路装置の主電流の通路に接された整流ダイオード（Ｄｏ又は３ａ−３ｄ）を含み、
前記ショットキーバリアダイオード（１７）は前記整流ダイオード（Ｄｏ又は３ａ−３ｄ）に熱結合されていることを特徴とする請求項１に従う過熱保護装置。
【請求項４】
前記ショットキーバリアダイオード（１７）と前記整流ダイオード（Ｄｏ又は３ａ−３ｄ）とは機械的に一体化されていることを特徴とする請求項３に従う過熱保護装置。
【請求項５】
前記電気回路装置は、更に、前記電気回路装置の主電流の通路に接続された主電流検出抵抗（３０）を含み、
前記ショットキーバリアダイオード（１７）は前記主電流検出抵抗（３０）に熱結合されていることを特徴とする請求項１に従う過熱保護装置。
【請求項６】
前記ショットキーバリアダイオード（１７）と前記電流検出抵抗（３０）とは機械的に一体化されていることを特徴とする請求項５に従う過熱保護装置。
【請求項７】
前記電気回路装置は、直流電源（２）と、前記直流電源（２）の一端と他端との間に接続されたトランスの１次巻線（Ｎ１）と主制御素子（Ｑ１）との直列回路と、前記主制御素子（Ｑ１）を制御するための制御回路（１２）と、前記制御回路（１２）の一方及び他方の電源端子（１３，１４）に接続された制御用電源（Ｃ２、又は９、又はＣ２及び９）と、前記１次巻線（Ｎ１）に電磁結合された２次巻線（Ｎ２）と、前記２次巻線（Ｎ２）に接続された整流ダイオード（Ｄｏ）と、前記整流ダイオード（Ｄｏ）を介して前記２次巻線（Ｎ２）に並列に接続された平滑コンデンサ（Ｃｏ）と、前記平滑コンデンサ（Ｃｏ）に接続された対の直流出力端子（８ａ，８ｂ）とを有している直流電源装置であることを特徴とする請求項１に従う過熱保護装置。
【請求項８】
前記ショットキーバリアダイオード（１７）に対する電圧印加手段は、前記制御用電源（Ｃ２、又は９、又はＣ２及び９）に対して前記ショットキーバリアダイオード（１７）を接続する手段（２２）であり、
前記ショットキーバリアダイオード（１７）の逆方向電流を検出するための前記電流検出手段は、前記ショットキーバリアダイオード（１７）に直列に接続された逆方向電流検出用抵抗（１９）であることを特徴とする請求項７に従う過熱保護装置。
【請求項９】
前記ショットキーバリアダイオード（１７）に対する電圧印加手段は、前記対の直流出力端子（８ａ，８ｂ）間に前記ショットキーバリアダイオード（１７）を接続する手段（２２）であり、
前記ショットキーバリアダイオード（１７）の逆方向電流を検出するための前記電流検出手段は、前記ショットキーバリアダイオード（１７）に直列に接続された発光素子（２５）と、前記発光素子（２５）に光結合され且つ前記制御用電源（Ｃ２、又は９、又はＣ２及び９）に接続された受光素子（２６）と、前記受光素子（２６）に直列に接続された逆方向電流検出用抵抗（１９）とから成ることを特徴とする請求項７に従う過熱保護装置。
【請求項１０】
前記オン禁止制御手段は、前記ショットキーバリアダイオード（１７）の逆方向電流の値が所定値を越えたことに応答して前記制御回路（１２）の前記一方及び他方の電源端子（１３，１４）間を短絡するために、前記一方の電源端子（１３）に接続された第１の主端子と前記他方の電源端子（１４）に接続された第２の主端子と前記逆方向電流検出用抵抗（１９）に接続された制御端子とを有し且つ導通保持機能を有している過熱保護用スイッチ（１８）であることを特徴とする請求項８又は９に従う過熱保護装置。
【請求項１１】
前記オン禁止制御手段は、
前記制御用電源（９）の対の出力端子の一方（９ａ）と前記制御回路（１２）の前記一方の電源端子（１３）との間に接続された制御電源遮断用スイッチ（Ｑ２）と、
前記ショットキーバリアダイオード（１７）の逆方向電流の値が所定値を越えたことを示す逆方向電流検出用抵抗（１９）の電圧に応答して前記制御電源遮断用スイッチ（Ｑ２）をオフに制御する回路とから成ることを特徴とする請求項８又は９に従う過熱保護装置。
【請求項１２】
前記オン禁止制御手段は、
前記ショットキーバリアダイオード（１７）の逆方向電流の値が所定値を越えたことに応答して前記制御回路（１２）の前記一方及び他方の電源端子（１３，１４）間を短絡するために、前記一方の電源端子（１３）に抵抗（２０）を介して接続された第１の主端子と前記他方の電源端子（１４）に接続された第２の主端子と前記逆方向電流検出用抵抗（１９）に接続された制御端子とを有し且つ導通保持機能を有している過熱保護用スイッチ（１８）と、
前記制御用電源（９）の対の出力端子の一方（９ａ）に接続された第１の主端子と前記制御回路（１２）の前記一方の電源端子（１３）に接続された第２の主端子と前記過熱保護用スイッチ（１８）の前記第１の主端子に接続された制御端子とを有している制御電源遮断用スイッチ（Ｑ２）と、
から成ることを特徴とする請求項８又は９に従う過熱保護装置。
【請求項１３】
前記オン禁止制御手段は、
基準電圧を与える基準電圧源（４１）と、
前記逆方向電流検出用抵抗（１９）に接続された一方の入力端子と前記基準電圧源（４１）に接続された他方の入力端子とを有する比較器（４０）と、
前記ショットキーバリアダイオード（１７）の逆方向電流の値が所定値を越えたことを示す前記比較器（４０）の出力を保持するために前記比較器（４０）に接続された保持回路（４２）と、
前記ショットキーバリアダイオード（１７）の逆方向電流の値が所定値を越えたことを示す前記保持回路（４２）の出力に応答して前記制御回路（１２）の一方及び他方の電源端子（１３，１４）間を短絡するために前記一方の電源端子（１３）に接続された第１の主端子と前記他方の電源端子（１４）に接続された第２の主端子と前記保持回路（４２）に接続された制御端子とを有している過熱保護用スイッチ（４３）と
から成ることを特徴とする請求項８又は９に従う過熱保護装置。
【請求項１４】
前記オン禁止制御手段は、
前記制御用電源（９）の対の出力端子の一方（９ａ）と前記前記制御回路（１２）の前記一方の電源端子（１３）との間に接続された制御電源遮断用スイッチ（Ｑ２）と、
基準電圧を与える基準電圧源（４１）と、
前記逆方向電流検出用抵抗（１９）に接続された一方の入力端子と前記基準電圧源（４１）に接続された他方の入力端子とを有する比較器（４０）と、
前記ショットキーバリアダイオード（１７）の逆方向電流の値が所定値を越えたことを示す前記比較器（４０）の出力を保持するために前記比較器（４０）に接続された保持回路（４２）と、
前記ショットキーバリアダイオード（１７）の逆方向電流の値が所定値を越えたことを示す前記保持回路（４２）の出力に応答して前記制御電源遮断用スイッチ（Ｑ２）をオフに制御するために、前記制御電源遮断用スイッチ（Ｑ２）の制御端子に接続された第１の主端子と前記制御用電源（９）の対の出力端子の他方（９ｂ）に接続された第２の主端子と前記保持回路（４２）に接続された制御端子とを有している過熱保護用スイッチ（４３）と
から成ることを特徴とする請求項８又は９に従う過熱保護装置。
【請求項１５】
前記オン禁止制御手段は、
基準電圧を与える基準電圧源（４１）と、
前記抵抗（１９）に接続された一方の入力端子と前記基準電圧源（４１）に接続された他方の入力端子とを有する比較器（４０）と、
前記ショットキーバリアダイオード（１７）の逆方向電流の値が所定値を越えたことを示す前記比較器（４０）の出力を保持するために前記比較器（４０）に接続された保持回路（４２）と、
前記ショットキーバリアダイオード（１７）の逆方向電流の値が所定値を越えたことを示す前記保持回路（４２）の出力に応答して前記制御回路（１２）の前記一方及び他方の電源端子（１３，１４）間を短絡するために前記一方の電源端子（１３）に抵抗（２０）を介して接続された第１の主端子と前記他方の電源端子（１４）に接続された第２の主端子と前記保持回路（４２）に接続された制御端子とを有している過熱保護用スイッチ（４３）と、
前記制御用電源（９）の対の出力端子の一方（９ａ）に接続された第１の主端子と前記制御回路（１２）の前記一方の電源端子（１３）に接続された第２の主端子と前記過熱保護用スイッチ（４３）の前記第１の主端子に接続された制御端子とを有している制御電源遮断用スイッチ（Ｑ２）と
から成ることを特徴とする請求項８又は９に従う過熱保護装置。
【請求項１６】
前記直流電源装置は、更に、
前記制御回路（１２）の前記一方及び他方の電源端子間に接続された制御電源用コンデンサ（Ｃ２）と、
前記制御電源用コンデンサ（Ｃ２）の充電回路（Ｒ１）と
を有していることを特徴とする請求項７に従う過熱保護装置。
【請求項１７】
更に、前記直流出力端子（８ａ，８ｂ）間の電圧で逆方向バイアスされる方向性を有してショットキーバリアダイオード（１７）に並列接続された前記ツエナーダイオード（２３）を有していることを特徴とする請求項９に従う過熱保護装置。
【発明の詳細な説明】
【技術分野】  本発明は、ＤＣ−ＤＣコンバータ等の電気回路装置の保護に好適な過熱保護装置に関する。
【背景技術】  ＤＣ−ＤＣコンバータ等の電気回路装置の従来の過熱保護装置には、電気回路装置の温度検出のためにサーモスタット、サーミスタ、ポジスタ等の感温素子が使用されている。
ところで、従来のサーモスタット、サーミスタ、ポジスタは製造量が少ないこと、また温度管理がきめ細くされていること等のために高価であり、過熱保護装置も必然的に高価になった。
感温素子としてサーミスタの代わりにショットキーバリアダイオードを使用することが日本の特開２００１−４５６５５号公報に開示されている。即ち、この公報には、ショットキーバリアダイオードの逆方向電流に基づいて温度を検出し、所定値よりも高い温度が検出れた時に電源線に直列に接続されたスイッチをオフにして電力供給を遮断することが開示されている。しかし、この公報には、電流を制御する制御素子とこの制御回路とを含む電気回路装置又は直流電源装置の過熱保護装置は全く開示されていない。
【発明の開示】
そこで、本発明の目的は、制御素子とこの制御回路とを含む電気回路装置又は直流電源装置の過熱保護装置のコストの低減を図ることにある。
上記課題を解決し、上記目的を達成するための本発明を、実施形態を示す図面の符号を参照して説明する。なお、ここでの参照符号は、本願発明の理解を助けるために付されており、本願発明を限定するものではない。
上記目的を達成するための本発明に従う過熱保護装置は、電気回路装置における電流を制御する主制御素子と、前記主制御素子に制御信号を供給する制御回路とを含む電気回路装置に適用できる。この電気回路装置に適用する過熱保護装置は、前記電気回路装置の過熱状態を検知できる位置に配置されたショットキーバリアダイオード１７と、前記ショットキーバリアダイオード１７に逆方向電圧を印加するために前記ショットキーバリアダイオード１７に接続された電圧印加手段２２と、前記ショットキーバリアダイオード１７の逆方向電流の大きさの変化に基づいて前記電気回路装置の温度変化を示す信号を得るために前記ショットキーバリアダイオード１７に接続された電流検出手段と、前記ショットキーバリアダイオード１７の逆方向電流の値が所定値を越えたことを示す前記電流検出手段の出力に応答して前記制御回路１２による前記主制御素子Ｑ１のオン制御を禁止するために前記電流検出手段と前記制御回路１２とに接続されているオン禁止制御手段とで構成される。
前記ショットキーバリアダイオード１７は前記主制御素子Ｑ１に熱結合されていることが望ましい。
前記電気回路装置は、更に、前記電気回路装置の主電流の通路に接続された整流ダイオードＤｏ又は３ａ−３ｄを含み、前記ショットキーバリアダイオード１７は前記整流ダイオードＤｏ又は３ａ−３ｄに熱結合されていることが望ましい。
前記ショットキーバリアダイオード１７と前記整流ダイオードＤｏ又は３ａ−３ｄとは熱結合され且つ機械的に一体化されていることが望ましい。
前記電気回路装置は、更に、前記電気回路装置の主電流の通路に接続された主電流検出抵抗３０を含み、前記ショットキーバリアダイオード１７は前記主電流検出抵抗３０に熱結合されていることが望ましい。
前記ショットキーバリアダイオード１７と前記電流検出抵抗３０とは熱結合され且つ機械的に一体化されていることが望ましい。
前記電気回路装置は、直流電源２と、前記直流電源２の一端と他端との間に接続されたトランスの１次巻線Ｎ１と主制御素子Ｑ１との直列回路と、前記主制御素子Ｑ１を制御するための制御回路１２と、前記制御回路１２の一方及び他方の電源端子１３，１４に接続された制御用電源Ｃ２、又は９、又はＣ２及び９と、前記１次巻線Ｎ１に電磁結合された２次巻線Ｎ２と、前記２次巻線Ｎ２に接続された整流ダイオードＤｏと、前記整流ダイオードＤｏを介して前記２次巻線Ｎ２に並列に接続された平滑コンデンサＣｏと、前記平滑コンデンサＣｏに接続された対の直流出力端子８ａ，８ｂとを有している直流電源装置であることが望ましい。
前記ショットキーバリアダイオード１７に対する電圧印加手段は、前記制御用電源Ｃ２、又は９、又はＣ２及び９に対して前記ショットキーバリアダイオード１７を接続する手段２２であり、且つ前記ショットキーバリアダイオード１７の逆方向電流を検出するための前記電流検出手段は、前記ショットキーバリアダイオード１７に直列に接続された逆方向電流検出用抵抗１９であることが望ましい。
前記ショットキーバリアダイオード１７に対する電圧印加手段は、前記直流出力端子８ａ，８ｂ間に前記ショットキーバリアダイオード１７を接続する手段２２であり、且つ前記ショットキーバリアダイオード１７の逆方向電流を検出するための前記電流検出手段は、前記ショットキーバリアダイオード１７に直列に接続された発光素子２５と、前記発光素子２５に光結合され且つ前記制御用電源Ｃ２、又は９、又はＣ２及び９に接続された受光素子２６と、前記受光素子２６に直列に接続された逆方向電流検出用抵抗（１９）とから成ることが望ましい。
前記オン禁止制御手段は、前記ショットキーバリアダイオード１７の逆方向電流の値が所定値を越えたことことを示す逆方向電流検出用抵抗１９の電圧に応答して前記制御回路１２の前記一方及び他方の電源端子１３，１４間を短絡するために、前記一方の電源端子１３に接続された第１の主端子と前記他方の電源端子１４に接続された第２の主端子と前記逆方向電流検出用抵抗１９に接続された制御端子とを有し且つ導通保持機能を有している過熱保護用スイッチ１８であることが望ましい。
前記オン禁止制御手段は、前記制御用電源９の対の出力端子の一方９ａと前記制御回路１２の前記一方の電源端子１３との間に接続された制御電源遮断用スイッチＱ２と、前記ショットキーバリアダイオード１７の逆方向電流の値が所定値を越えたことを示す逆方向電流検出用抵抗１９の電圧に応答して前記制御電源遮断用スイッチＱ２をオフに制御する回路とから成ることが望ましい。前記制御電源遮断用スイッチＱ２をオフに制御する回路は、前記制御電源遮断用スイッチＱ２の制御端子に接続された第１の主端子と前記制御用電源９の対の出力端子の他方９ｂに接続された第２の主端子と前記逆方向電流検出用抵抗１９に接続された制御端子とを有し且つ導通保持機能を有している過熱保護用スイッチ１８で構成することができる。
前記オン禁止制御手段は、前記ショットキーバリアダイオード１７の逆方向電流の値が所定値を越えたことに応答して前記制御回路１２の前記一方及び他方の電源端子１３，１４間を短絡するために、前記一方の電源端子１３に抵抗２０を介して接続された第１の主端子と前記他方の電源端子１４に接続された第２の主端子と前記逆方向電流検出用抵抗１９に接続された制御端子とを有し且つ導通保持機能を有している過熱保護用スイッチ１８と、前記制御用電源９の対の出力端子の一方９ａに接続された第１の主端子と前記制御回路１２の前記一方の電源端子１３に接続された第２の主端子と前記過熱保護用スイッチ１８の前記第１の主端子に接続された制御端子とを有している制御電源遮断用スイッチＱ２とから成ることが望ましい。
前記オン禁止制御手段は、基準電圧を与える基準電圧源４１と、前記逆方向電流検出用抵抗１９に接続された一方の入力端子と前記基準電圧源４１に接続された他方の入力端子とを有する比較器４０と、前記ショットキーバリアダイオード１７の逆方向電流の値が所定値を越えたことを示す前記比較器４０の出力を保持するために前記比較器４０に接続された保持回路４２と、前記ショットキーバリアダイオード１７の逆方向電流の値が所定値を越えたことを示す前記保持回路４２の出力に応答して前記制御回路１２の一方及び他方の電源端子１３，１４間を短絡するために前記一方の電源端子１３に接続された第１の主端子と前記他方の電源端子１４に接続された第２の主端子と前記保持回路４２に接続された制御端子とを有している過熱保護用スイッチ４３とから成ることが望ましい。
前記オン禁止制御手段は、前記制御用電源９の対の出力端子の一方９ａと前記前記制御回路１２の前記一方の電源端子１３との間に接続された制御電源遮断用スイッチＱ２と、基準電圧を与える基準電圧源４１と、前記逆方向電流検出用抵抗１９に接続された一方の入力端子と前記基準電圧源４１に接続された他方の入力端子とを有する比較器４０と、前記ショットキーバリアダイオード１７の逆方向電流の値が所定値を越えたことを示す前記比較器４０の出力を保持するために前記比較器４０に接続された保持回路４２と、前記ショットキーバリアダイオード１７の逆方向電流の値が所定値を越えたことを示す前記保持回路４２の出力に応答して前記制御電源遮断用スイッチＱ２をオフに制御するために、前記制御電源遮断用スイッチＱ２の制御端子に接続された第１の主端子と前記制御用電源９の対の出力端子の他方９ｂに接続された第２の主端子と前記保持回路４２に接続された制御端子とを有している過熱保護用スイッチ４３とから成ることが望ましい。
前記オン禁止制御手段は、基準電圧を与える基準電圧源４１と、前記抵抗１９に接続された一方の入力端子と前記基準電圧源４１に接続された他方の入力端子とを有する比較器４０と、前記ショットキーバリアダイオード１７の逆方向電流の値が所定値を越えたことを示す前記比較器４０の出力を保持するために前記比較器４０に接続された保持回路４２と、前記ショットキーバリアダイオード１７の逆方向電流の値が所定値を越えたことを示す前記保持回路４２の出力に応答して前記制御回路１２の前記一方及び他方の電源端子１３，１４間を短絡するために前記一方の電源端子１３に抵抗２０を介して接続された第１の主端子と前記他方の電源端子１４に接続された第２の主端子と前記保持回路４２に接続された制御端子とを有している過熱保護用スイッチ４３と、前記制御用電源９の対の出力端子の一方９ａに接続された第１の主端子と前記制御回路１２の前記一方の電源端子１３に接続された第２の主端子と前記過熱保護用スイッチ４３の前記第１の主端子に接続された制御端子とを有している制御電源遮断用スイッチＱ２とから成ることが望ましい。
前記直流電源装置は、更に、前記制御回路１２の前記一方及び他方の電源端子間に接続された制御電源用コンデンサＣ２と、前記制御電源用コンデンサＣ２の充電回路Ｒ１とを有していることが望ましい。
前記直流出力端子（８ａ，８ｂ）間に前記ショットキーバリアダイオード（１７）を接続する場合において、更に、ショットキーバリアダイオード（１７）に並列接続された前記ツエナーダイオード（２３）を有していることが望ましい。
なお、本願発明において前記主電流は前記電気回路装置の入力電流又は出力電流又は負荷の大きさに応じて流れる電流等を意味する。
また、前記ショットキーバリアダイオードは、逆方向電流が１００〜１５０℃の温度範囲で急激に増大するものであることが望ましい。
本願発明では、従来のサーモスタット、サーミスタ、ポジスタに比べて大幅に安価なショットキーバリアダイオードを使用して電気回路装置又は直流電源装置の過熱状態を検出し、更に、電気回路装置又は直流電源装置に含まれている制御回路を制御することによって主制御素子Ｑ１をオフにして過熱状態を解消しているので、過熱保護装置のコストの大幅な低減を図ることができる。
【図面の簡単な説明】  図１は本発明の第１の実施形態に係る過熱保護装置を有する直流電源装置を示す回路図である。
図２は図１のショットキーバリアダイオードの温度と逆方向電流との関係を示す特性図である。
図３は本発明の第２の実施形態に係る過熱保護装置を有する直流電源装置を示す回路図である。
図４は図３の複合部品を概略的に示す正面図である。
図５は本発明の第３の実施形態に係る過熱保護装置を有する直流電源装置を示す回路図である。
図６は図５の複合部品を概略的に示す正面図である。
図７は本発明の第４の実施形態に係る過熱保護装置を有する直流電源装置を示す回路図である。
【発明を実施するための最良の形態】  第１の実施形態
次に、図１及び図２を参照して本発明の第１の実施形態に係る過熱保護装置を有する直流電源装置を説明する。
図１に示す過熱保護すべき電気回路装置としての直流電源装置は、交流入力端子１ａ、１ｂに接続された入力段整流平滑回路２を有する。この入力段整流平滑回路２は、直流電源として機能するものであり、交流入力端子１ａ、１ｂに接続された整流回路３とこの整流回路３の対の直流ライン４ａ、４ｂ間に接続された入力段平滑コンデンサＣ１とから成り、対の交流入力端子１ａ、１ｂに接続された商用交流電源１の交流電圧を直流電圧に変換する。整流回路３は４つのダイオード３ａ、３ｂ、３ｃ、３ｄをブリッジ接続した周知の全波整流回路である。
直流電源としての入力段整流平滑回路２の出力電圧の安定化又はレベル変換を行うために、直流電源２の入力段平滑コンデンサＣ１の一端と他端に接続された対の直流ライン４ａ、４ｂ間にトランス５の１次巻線Ｎ１を介して電界効果トランジスタから成る主制御素子としての主スイッチＱ１が接続されている。トランス５は１次巻線Ｎ１にコア６を介して電磁結合された２次巻線Ｎ２及び３次巻線Ｎ３を有する。２次巻線Ｎ２は出力段整流平滑回路７を介して負荷８に接続されている。出力段整流平滑回路７は、整流ダイオードＤｏと平滑コンデンサＣｏとから成る。平滑コンデンサＣｏは整流ダイオードＤｏを介して２次巻線Ｎ２に並列に接続されている。２次巻線Ｎ２及び整流ダイオードＤｏの極性は、主スイッチＱ１のオフの期間に整流ダイオードＤｏが導通するように決定されている。負荷８を接続するための対の直流出力端子８ａ、８ｂは平滑コンデンサＣｏに接続されている。なお、主スイッチＱ１のオンの期間に整流ダイオードＤｏがオンになるように構成することもできる。整流回路３は４つのダイオード３ａ、３ｂ、３ｃ、３ｄ及び出力段整流平滑回路７の整流ダイオードＤｏは、電気回路装置の主電流通路に接続された整流ダイオードとして機能する。
トランス５の３次巻線Ｎ３には、制御電源用整流平滑回路９が接続されている。この制御電源用整流平滑回路９は、整流ダイオード１０と平滑用コンデンサ１１とから成る。平滑用コンデンサ１１は整流ダイオード１０を介して３次巻線Ｎ３に並列に接続されている。なお、整流ダイオード１０及び３次巻線Ｎ３の極性は、主スイッチＱ１がオフの期間に整流ダイオード１０が導通するように決定されている。
主スイッチＱ１にオン・オフ制御信号を供給するために、主スイッチＱ１の制御端子（ゲート）に周知の制御回路１２が接続されている。制御回路１２は制御電源電圧が供給される第１及び第２の電源端子１３、１４と、制御信号を出力する出力端子１５とを有し、周知のＰＷＭ（パルス幅変調）制御信号を出力端子１５から主スイッチＱ１の制御端子に供給する。
制御回路１２に直流電圧を供給するための制御電源として制御電源用整流平滑回路９が設けられ、更に、制御電源用コンデンサＣ２が設けられている。制御電源用コンデンサＣ２の一端及び他端は制御回路１２の第１及び第２の電源端子１３、１４に接続されている。制御電源用コンデンサＣ２は、起動時における充電回路として機能する起動抵抗Ｒ１を介して対の直流ライン４ａ、４ｂ間に接続されている。制御電源用整流平滑回路９は、制御電源遮断用スイッチとしてのトランジスタＱ２と第１のダイオードＤ１とを介して制御電源用コンデンサＣ２の一端及び他端と、制御回路１２の第１及び第２の電源端子１３、１４との両方に接続されている。
直流電源装置は主回路部分の他に本発明に従う過熱保護装置１６を有する。過熱保護装置１６は、温度変化検出及び制御装置とも呼ぶことができるものであって、温度変化検出素子としてのショットキーバリアダイオード１７と、オン禁止制御手段又は導通保持機能を有している過熱保護用スイッチとしてのサイリスタ１８と、トランジスタＱ２と、第１及び第２のダイオードＤ１、Ｄ２と、第１、第２及び第３の抵抗１９、２０、２１と、定電圧制御用ツエナーダイオードＺＤ１とから成る。
過熱保護装置１６はライン２２とショットキーバリアダイオード１７と逆方向電流検出用抵抗１９とから成る温度変化検出装置を含む。
サイリスタ１８はショットキーバリアダイオード（１７）の逆方向電流の値が所定値を越えたことに応答して制御回路１２の第１及び第２の電源端子１３，１４間を短絡して、主スイッチＱ１のオン制御を禁止し、直流電源装置の過熱保護を達成する機能を有する。このサイリスタ１８の第１の主端子（アノード）は抵抗２０を介して制御電源用コンデンサＣ２の一端及び制御回路１２の第１の電源端子１３に接続され、サイリスタ１８の第２の主端子（カソード）は制御電源用コンデンサＣ２の他端及び制御回路１２の第２の電源端子１４に接続されている。
制御電源遮断用スイッチ又は過熱保護用補助スイッチ又は定電圧制御素子として機能するｎｐｎ型トランジスタＱ２の第１の主端子としてのコレクタは制御電源用整流平滑回路９の一方の出力端子としての直流ライン９ａに接続され、この第２の主端子としてのエミッタは第１のダイオードＤ１を介して制御電源用コンデンサＣ２の一端及び制御回路１２の第１の電源端子１３にそれぞれ接続され、この制御端子としてのベースは抵抗２１を介してライン９ａに接続され且つダイオードＤ２を介してサイリスタ１８のアノードに接続されている。また、トランジスタＱ２のベースとグランド側ライン９ｂとの間に定電圧素子としてのツエナーダイオードＺＤ１が接続されている。トランジスタＱ２による定電圧制御が不要の場合にはツエナーダイオードＺＤ１を省くことができる。制御電源用整流平滑回路９の対の出力ライン９ａ、９ｂ間の電圧が制御電源用コンデンサＣ２の電圧よりも高い時に、トランジスタＱ２及びダイオードＤ１が導通して制御電源用コンデンサＣ２の充電電流が流れる。トランジスタＱ２の出力電圧はツエナーダイオードＺＤ１によって定電圧化される。トランジスタＱ２のベースがダイオードＤ２を介してサイリスタ１８のアノードに接続されている。このため、サイリスタ１８がオンの時に、トランジスタＱ２はオフになる。
ショットキーバリアダイオード１７は周知のようにシリコン又は３−５族化合物半導体とショットキーバリア電極とから成り、ショットキーバリアによる整流特性を有する。このショットキーバリアダイオード１７のカソードは、ライン２２を介して制御電源用コンデンサＣ２の一端に接続され、且つトランジスタＱ２及びダイオードＤ１を介して制御電源用整流平滑回路９の一端に接続されている。ショットキーバリアダイオード１７のアノードはサイリスタ１８のゲートに接続されていると共に抵抗１９を介して制御電源用コンデンサＣ２の他端及び制御電源用整流平滑回路９の他端に接続されている。ショットキーバリアダイオード１７を制御電源用コンデンサＣ２及び制御電源用整流平滑回路９に接続するためのライン２２はショットキーバリアダイオード１７に逆方向電圧を印加するための電圧印加手段として機能する。ショットキーバリアダイオード１７に直列に接続された抵抗１９はショットキーバリアダイオード１７の逆方向電流の変化を検出する電流検出手段として機能する。
本発明における温度検出は、ショットキーバリアダイオード１７の逆方向電流Ｉｒ即ち漏れ電流が、例えば１１０〜１３０℃の特定温度で図２に示すように急激に増大することに基づいてなされている。ショットキーバリアダイオード１７の逆方向電流Ｉｒが急激に変化する温度範囲１１０〜１３０℃は、過熱保護の開始温度に相当する。電源装置等の電気回路装置の発煙及び発火を防ぐためには、発煙及び発火が生じる恐れのある温度よりも少し低い温度を検出し、電気回路装置の電気的動作を停止することが望ましい。本実施形態のショットキーバリアダイオード１７の逆方向電流Ｉｒが急激に変化する温度範囲１１０〜１３０℃は、発煙及び発火防止の検出目標温度として望ましい値である。
ショットキーバリアダイオード１７は、電気回路装置としての電源装置のケース内の任意の場所又は過熱する恐れのある場所又はこの近くに配置される。本実施形態では、ショットキーバリアダイオード１７が電源装置で最も温度が高くなる回路要素である主スイッチＱ１に熱結合されている。なお、ショットキーバリアダイオード１７を電気回路装置の回路要素又は放熱体に直接に熱結合させる代わりに、ショットキーバリアダイオード１７を電気回路装置の中の雰囲気の温度を検出できる位置に配置することができる。
交流入力端子１ａ、１ｂに交流電源１を接続するか、又は交流電源１が接続された状態で図示が省かれている電源スイッチをオンにすると、起動抵抗Ｒ１を介してコンデンサＣ２が充電される。コンデンサＣ２の電圧が所定値まで上昇すると、制御回路１２から主スイッチＱ１に対するオン・オフ制御信号の供給が開始する。主スイッチＱ１のオン期間にはダイオードＤｏ及びダイオード１０が非導通であり、トランス５にエネルギが蓄積される。主スイッチＱ１のオフ期間にトランス５の蓄積エネルギが放出され、ダイオードＤｏを介してコンデンサＣｏが充電され、且つダイオード１０を介してコンデンサＣ１１が充電される。図示が省略されているが、出力端子８ａ、８ｂ間の直流出力電圧を検出する周知の回路が設けられており、制御回路１２は出力電圧検出回路の出力に応答して出力電圧を一定にするようにＰＷＭパルスを形成し、このＰＷＭパルスから成る制御信号で主スイッチＱ１をオン・オフする。このため、出力端子８ａ、８ｂ間の電圧即ちコンデンサＣｏの電圧がほぼ一定になり且つ制御用整流平滑回路９のコンデンサ１１の電圧もほぼ一定になる。整流平滑回路９のコンデンサ１１の電圧が制御電源用コンデンサＣ２の電圧よりも高くなると、補助スイッチとしてのトランジスタＱ２及びダイオードＤ１が導通し、制御電源用コンデンサＣ２が整流平滑回路９の出力電圧で充電される。
電源装置が正常に動作し且つショットキーバリアダイオード１７の温度が所定温度、例えば１２０℃又はこれよりも低い正常時には、この逆方向電流Ｉｒのレベルがサイリスタ１８のトリガレベルに達しない。このため、ショットキーバリアダイオード１７の温度が１２０℃又はこれよりもよりも低い時にはサイリスタ１８が非導通状態に保たれる。
これに対して、ショットキーバリアダイオード１７の温度が許容の所定温度、例えば１２０℃よりも高くなると、逆方向電流Ｉｒがサイリスタ１８をトリガすることができるレベルとなり、サイリスタ１８がオンになる。即ち、サイリスタ１８のトリガ電流がショットキーバリアダイオード１７を介してサイリスタ１８のゲートからカソードに向って注入され、サイリスタ１８がターンオンする。換言すれば、ショットキーバリアダイオード１７の逆方向電流Ｉｒの増大によって抵抗１９の両端子間電圧及びサイリスタ１８のゲート・カソド間電圧が増大し、サイリスタ１８を導通させることが可能なゲート電流が流れてサイリスタ１８がターンオンする。サイリスタ１８は、周知のように導通保持機能を有しており、一旦ターンオンすると保持電流以下になるまでオン状態を保持する。
ショットキーバリアダイオード１７の逆方向電流Ｉｒに基づく過熱検出に応答してサイリスタ１８がオンになると、ダイオードＤ２が順バイアスされてオン状態となり、トランジスタＱ２がオフ状態となり、制御電源用整流平滑回路９から制御電源用コンデンサＣ２及び制御回路１２に供給されていた電流が遮断され、同時に制御電源用コンデンサＣ２が抵抗２０を介してサイリスタ１８で短絡されるため、制御電源用コンデンサＣ２の電荷が抵抗２０及びサイリスタ１８を通して放出され、この電圧が低下し、制御回路１２の対の電源端子１３、１４間の電圧も低下し、制御回路１２によって主スイッチＱ１をオン・オフすることが不可能になり、電気回路装置としてのＤＣ−ＤＣコンバータ回路が停止状態となり、主スイッチＱ１及びこれを含む電気回路装置の過熱が抑制される。
サイリスタ１８には、起動抵抗Ｒ１を介して保持電流が流れ続けるので、入力端子１ａ、１ｂを電源１から切り離すか、又は図示が省略されている電源スイッチをオフにするまで過熱保護状態が維持される。電源１の切り離し又は電源スイッチのオフ操作によって、サイリスタ１８もオフになる。電源１からの電力供給が再開されると、再びショットキーバリアダイオード１７による過熱保護が可能になる。
上述から明らかなように、本実施形態では、従来のサーモスタット、サーミスタ、ポジスタよりも安価な小信号用ショットキーバリアダイオード１７が温度変化検出素子又は過熱検出素子として使用され、更に、直流電源装置の温度が許容温度即ち所定温度、例えば１２０℃よりも高くなった時にサイリスタ１８で制御回路１２を制御することによってＤＣ−ＤＣコンバータ回路の主制御素子Ｑ１のオンが禁止されている。この結果、過熱保護装置のコストの大幅な低減及び小型化が図られている。
また、図１の回路では、サイリスタ１８によってコンデンサＣ２の放電回路が形成され、且つトランジスタＱ２のオフによって制御電源用整流平滑回路９からコンデンサＣ２及び制御回路１２に対する電力供給が遮断されている。この結果、直流電源装置の過熱保護を迅速且つ確実に達成することができる。
第２の実施形態
次に、図３に示す第２の実施形態の直流電源装置を説明する。但し、図３において図１と実質的に同一の部分には同一の符号を付してその説明を省略する。
図３の直流電源装置は、図１の過熱保護装置１６の代りに、過電圧保護機能を伴った過熱保護装置を構成する第１及び第２の回路１６ａ、１６ｂを有する点で図１と相違し、この他は図１と同一に構成されている。
図３の過電圧保護機能を伴った過熱保護装置を構成する第１の回路１６ａは、定電圧素子としてのツエナーダイオード２３と、抵抗２４と、発光素子としての発光ダイオード２５と、温度変化検出としてのショットキーバリアダイオード１７とから成る。ショットキーバリアダイオード１７はライン２２と抵抗２４と発光ダイオード２５とを介して対の直流出力端子８ａ、８ｂ間に接続されている。換言すれば、ツエナーダイオード２３と抵抗２４と発光ダイオード２５との直列回路は、ライン２２を介して対の直流出力端子８ａ、８ｂ間に接続されている。ライン２２はショットキーバリアダイオード１７に逆方向電圧を印加する手段として機能する。ツエナーダイオード２３はショットキーバリアダイオード１７に並列に接続されている。ショットキーバリアダイオード１７及びツエナーダイオード２３は対の直流出力端子８ａ、８ｂ間の電圧で逆バイアスされる方向性を有する。従って、発光ダイオード２５には、ツエナーダイオード２３の電流とショットキーバリアダイオード１７の逆方向電流との両方が流れる。このため発光ダイオード２５は、直流出力検出手段としての機能を有する他にショットキーバリアダイオード１７の逆方向電流検出手段としての機能も有する。
ショットキーバリアダイオード１７は図１で同一符号で示すものと同一の特性を有し、直流電源装置の主電流が流れる回路素子としての出力整流ダイオードＤｏに熱的に結合されている。整流ダイオードＤｏの温度は、負荷８が比較的大きい時には直流電源装置の主スイッチＱ１の温度に対してほぼ比例的関係を有する。従って、整流ダイオードＤｏの温度は直流電源装置の温度を示している。
ショットキーバリアダイオード１７と整流ダイオードＤｏとは、図４に示すように複合部品２８に構成され、熱伝導性を有する共通の支持体２９によって機械的に一体化されている。なお、絶縁性包囲体によってショットキーバリアダイオード１７と整流ダイオードＤｏとを一体化してもよい。また周知の金属製の１つのパッケージにショットキーバリアダイオード１７と整流ダイオードＤｏとの両方を収納して複合部品を構成してもよい。
第２の回路１６ｂは、図１の過熱保護装置１６におけるショットキーバリアダイオード１７の位置にホトトランジスタ２６と抵抗２７との直列回路を接続した他は図１と同一に構成したものである。第１の回路１６ａの発光素子としての発光ダイオード２５と第２の回路１６ｂの受光素子としてのホトトランジスタ２６とは光結合されている。なお、第１及び第２の回路１６ａ、１６ｂからショットキーバリアダイオード１７を除いた部分を過電圧保護回路と呼ぶことができる。また、第１及び第２の回路１６ａ、１６ｂからツェナーダイオード２３とを除いた部分を過熱保護回路と呼ぶことができる。第１及び第２の回路１６ａ、１６ｂの抵抗２４、発光ダイオード２５、ホトトランジスタ２６、抵抗２７及び１９は、ショットキーバリアダイオード１７の逆方向電流検出手段として機能する。
図３の回路におけるＤＣ−ＤＣ変換動作は図１と同一である。図３の回路で出力端子８ａ、８ｂ間の電圧が所定範囲内の時にはツエナーダイオード２３が非導通である。従って、ホトトランジスタ２６も非導通であり、サイリスタ１８がトリガされない。出力端子８ａ、８ｂ間の電圧が何らかの原因で所定範囲を越えると、ツエナーダイオード２３が導通して発光ダイオード２５に電流が流れ、発光ダイオード２５が発光し、ホトトランジスタ２６も導通し、サイリスタ１８にトリガ電流が流れる。この結果、図１の回路でサイリスタ１８がオンした時と同様に主スイッチＱ１のオン・オフ制御動作が停止し、負荷８が過電圧から保護される。
整流ダイオードＤｏ及びこれに熱結合されたショットキーバリアダイオード１７の温度が所定温度（例えば１２０℃）以下の時にはショットキーバリアダイオード１７の逆方向電流のレベルが低いので、発光ダイオード２５の光出力も低く、ホトトランジスタ２６を介してサイリスタ１８を導通状態に転換できない。従って、主スイッチＱ１は正常にオン・オフ動作する。これに対して、整流ダイオードＤｏ及びショットキーバリアダイオード１７の温度が所定温度を越えると、この逆方向電流が大きくなり、発光ダイオード２５の光出力及びホトトランジスタ２６の電流も増大し、サイリスタ１８がトリガされ、図１の回路の場合と同様に主スイッチＱ１のオン・オフ動作が停止し、整流ダイオードＤｏの過熱保護が達成される。
第２の実施形態は第１の実施形態と同一の効果を有する他に、過電圧保護回路を共用して過熱保護回路を構成し、コストの大幅な低減を図ることができるという効果を有する。
また、整流ダイオードＤｏにショットキーバリアダイオード１７を一体化したので、両者の熱結合を密にすること及び正確に熱結合させることができる。
第３の実施形態
次に、図５に示す第３の実施形態の直流電源装置を説明する。但し、図５において図１及び図３と実質的に同一の部分には同一の符号を付してその説明を省略する。
図５の直流電源装置は、図３の第１の回路１６ａを変形した第１の回路１６ａ’を設け、この他は図３と同一に構成したものである。図５の第１の回路１６ａ’は、図３の第１の回路１６ａに出力電流検出抵抗３０を付加し、この出力電流検出抵抗３０にショットキーバリアダイオード１７を熱結合させ、この他は図３と同一に構成したものである。出力電流検出抵抗３０はコンデンサＣｏの一端と一方の出力端子８ａとの間に直列に接続されている。従って、出力電流検出抵抗３０には直流電源装置の主電流即ち負荷電流が流れる。出力電流検出抵抗３０の温度は、負荷８が大きい時には直流電源装置の主スイッチＱ１の温度に対してほぼ比例的関係を有し、直流電源装置の温度を示している。図５において図示は省略されているが、対の電流検出ラインが出力電流検出抵抗３０の両端子に接続され、この対の電流検出ラインが制御回路１２に接続されている。制御回路１２は出力電流検出抵抗３０の電流が所定値よりも大きくなった時に出力電流を所定値以下に低減するように主スイッチＱ１を制御する。
ショットキーバリアダイオード１７は出力電流検出抵抗３０に熱結合されているので、図３の整流ダイオードＤｏが過熱状態になった場合と同様に出力電流検出抵抗３０が許容温度即ち所定温度よりも高くなると、ショットキーバリアダイオード１７の逆方向電流が大きくなり、発光ダイオード２５の光出力及びホトトランジスタ２６の電流も増大し、サイリスタ１８が導通して主スイッチＱ１がオフ状態となり、直流電源装置の過熱保護が達成される。
図５のショットキーバリアダイオード１７と出力電流検出抵抗３０とは熱結合を正確且つ密にするために、図６に示すようにショットキーバリアダイオード１７と出力電流検出抵抗３０とが機械的に一体化されて複合素子３１が構成されている。
第３の実施形態によれば、第２の実施形態と同様な効果を得ることができる。
第４の実施形態
次に、図７に示す第４の実施形態の直流電源装置を説明する。但し、図７において図１及び図３と実質的に同一の部分には同一の符号を付してその説明を省略する。
図７の直流電源装置は、図１の過熱保護装置１６の代わりに変形された過熱保護装置１６ｃを設け、この他は図１と同一に構成したものである。
図７の過熱保護装置１６ｃは、図１の過熱保護装置１６のサイリスタ１８の代わりに、比較器４０と基準電圧源４１とラッチ即ち保持回路４２とトランジスタから成る過熱保護用スイッチ４３とリセット回路４４とを有し、この他は図１と同一に構成されている。比較器４０の一方の入力端子は、ショットキーバリアダイオード１７と抵抗１９との接続点に接続され、その他方の入力端子は基準電圧源４１に接続されている。直流電源装置の温度検知素子としてのショットキーバリアダイオード１７の逆方向電流が所定レベル以下の時には、抵抗１９の電圧が基準電圧源４１の基準電圧以下になるので、比較器４０の出力は低レベル（第１のレベル）状態である。直流電源装置が許容温度よりも高い温度状態となり、ショットキーバリアダイオード１７の逆方向電流が所定レベルよりも大きくなった時には、抵抗１９の電圧が基準電圧源４１の基準電圧よりも高くなり、比較器４０の出力が高レベル（第２のレベル）に転換する。
比較器４０に接続された保持回路４２は、比較器４０から得られた高い温度状態を示す高レベル信号を保持する。保持回路４２は、例えばフリップフロップで構成することができ、この保持回路４２に接続されたリセット回路４４によってリセットされるまで比較器４０の高い温度状態を示す高レベル信号を保持する。保持回路４２は、リセット回路４４からリセット信号が与えられた時、又はこの直流電源装置の図示が省略されている電源スイッチがオフ又はオンに操作された時にリセット状態に戻る。
過熱保護用スイッチ４３は、第１の主端子としてのコレクタと第２の主端子としてのエミッタと制御端子としてのベースとを有する。過熱保護用スイッチ４３のコレクタは抵抗２０を介して制御回路１２の第１の電源端子１３に接続され、エミッタは制御回路１２の第２の電源端子１４に接続され、ベースは保持回路４２に接続されている。保持回路４２が比較器４０の高い温度状態を示す出力信号を保持している時に、過熱保護用スイッチ４３がオン状態になる。過熱保護用スイッチ４３のオン状態は保持回路４２がリセットされるまで継続する。過熱保護用スイッチ４３のオンによって図１のサイリスタ１８のオン時と同様な動作が生じ、ＤＣ−ＤＣコンバータの主スイッチＱ１及び制御電源遮断用スイッチとしてのトランジスタＱ２がオフに制御され、直流電源装置の高い温度状態が解消される。
図３及び図５のサイリスタ１８を、図７の比較器４０と基準電圧源４１と保持回路４２と過熱保護用スイッチ４３とから成るオン禁止制御手段に置き換えることができる。
変形例
本発明は上述の実施形態に限定されるものでなく、例えば次の変形が可能なものである。
（１）  図１のショットキーバリアダイオード１７を、出力整流ダイオードＤｏ、又は１次巻線Ｎ１に直列に接続された図示されていない電流検出抵抗、又は図５の抵抗３０、又は整流回路３のダイオード３ａ〜３ｄ、又は平滑コンデンサＣ１、又は制御電源用コンデンサＣ２に熱結合させることができる。図１においてショットキーバリアダイオード１７を整流ダイオード３ａ〜３ｄに熱結合させる時には、図４の複合素子２８を使用することができる。また、図１においてショットキーバリアダイオード１７を１次巻線Ｎ１側の電流検出抵抗に熱結合させる時には図６の複合素子３１を使用することができる。
（２）  図１において１つのショットキーバリアダイオード１７の代りに複数のショットキーバリアダイオードを並列に接続し、複数のショットキーバリアダイオードの１つを例えば主スイッチＱ１に熱結合させ、複数のショットキーバリアダイオードの別の１つを例えば整流ダイオードＤｏに熱結合させることができる。
（３）  図３及び図５の回路においてトランス５に複数の２次巻線Ｎ２を設け、複数の２次巻線Ｎ２から複数の負荷に電力を供給するように構成し、各負荷回路に対して第１の回路１６ａに相当するものを設け、複数の第１の回路１６ａの光出力を１つのホトトランジスタ２６に与えるように構成することができる。
（４）  トランジスタＱ２、ダイオードＤ１、Ｄ２、抵抗２１、ツエナーダイオードＺＤ１の回路を省略し、ライン９ａをコンデンサＣ２に直接に接続することができる。
（５）  保護用制御素子としてのサイリスタ１８の代りに保持機能を有する別の制御スイッチ素子又は制御スイッチ回路を使用することができる。
（６）  図１、図３、図５及び図７の直流電源装置に限らず、これらと同様に制御素子とこの制御回路を含む全ての電気回路装置に本発明を適用することができる。
（７）  過熱保護装置１６の全部又は一部をまとめて１つの部品として一体的に構成することができる。また、第１及び第２の回路１６ａ、１６ｂの一部又は全部をまとめて１つの部品として構成することができる。
（８）図１、図３及び図５において、サイリスタ１８のアノードと制御回路１２の第１の電源端子１３との間の抵抗２０を介した接続を省き、抵抗２０の部分を開放させ、サイリスタ１８のアノードをダイオードＤ２を介して又は直接にトランジスタＱ２のベースのみに接続することができる。この場合、起動抵抗Ｒ１の一端をライン４ａに接続し、起動抵抗Ｒ１の他端をトランジスタＱ２のコレクタ又はベースに接続することが望ましい。
また、図７において、過熱保護用スイッチ４３の第１の主端子としてのコレクタと制御回路１２の第１の電源端子１３との間の抵抗２０を介した接続を省き、過熱保護用スイッチ４３の第１の主端子としてのコレクタをダイオードＤ２を介してトランジスタＱ２のベースのみに接続することができる。
（９）  サイリスタ１８又は過熱保護用スイッチ４３によって制御回路１２の電源をオフ状態に制御する代わりに、制御回路１２と主スイッチＱ１との間に制御信号の伝送を遮断するスイッチを設け、このスイッチを抵抗１９の電圧又は保持回路４２の出力で制御して、主スイッチＱ１をオフ制御することができる。また、制御回路１２の中の主スイッチＱ１の制御信号を形成する回路を抵抗１９の電圧又は保持回路４２の出力によって非動作状態とし、主スイッチＱ１をオフ制御することができる。
【産業上の利用の可能性】
上述から明らかなように、本発明に係わる過熱保護装置は、電気回路装置又は直流電源装置の保護に利用することが可能である。
【図１】
2004017507.tif 000003
【図２】
2004017507.tif 000004
【図４】
2004017507.tif 000005
【図６】
2004017507.tif 000006
【図３】
2004017507.tif 000007
【図５】
2004017507.tif 000008
【図７】
2004017507.tif 000009
【国際調査報告】
2004017507.tif 000010
2004017507.tif 000011
2004017507.tif 000012
2004017507.tif 000013